(57)【特許請求の範囲】
【請求項１】
出荷指示を含む作業指示に応じたバッチルールのカスタマイズにより庫内物流における作業効率の向上を実現するための情報処理システムであって、
設定手段と、生成手段と、を有し、
前記設定手段は、バッチ生成ルールと、バッチ分割ルールと、バッチ除外ルールと、前記バッチ生成ルールが示すバッチ形式の優先度、前記バッチ分割ルールが示すバッチ分割条件の優先度、及び、前記バッチ除外ルールが示すバッチ除外条件の優先度の少なくとも１つを示すフィルタリングルールと、を含むバッチルールを荷主と対応するマスタとして設定し、
前記生成手段は、出荷指示データ及び前記バッチルールに基づき１以上のバッチと対応するピッキング指示データを生成し、
前記設定手段は、Ｓバッチ、１系バッチ、Ｐバッチ、２Ｂバッチ及びＮバッチ及びＤバッチを含む前記バッチ形式の少なくとも１つを示す前記バッチ生成ルールを設定画面上の意思入力に基づき設定し、
前記Ｓバッチは、１種の物品に係る注文と対応し、
前記１系バッチは、１行注文又は１行１点注文と対応し、
前記Ｐバッチは、ピックエリアからの物品の引当を要する注文と対応し、
前記２Ｂバッチは、送付元及び送付先が法人である注文と対応し、
前記Ｎバッチは、熨斗を含む送付物の印刷を示す注文と対応し、
前記Ｄバッチは、前記Ｓバッチ、１系バッチ、Ｐバッチ、２Ｂバッチ及びＮバッチのそれぞれと対応しない注文と対応し、
前記生成手段は、前記バッチ生成ルールが示す前記バッチ形式と、１以上の注文を含む前記出荷指示データと、に基づき、１以上の注文の少なくとも一部を含み前記バッチ形式と対応するバッチを１以上、生成し、
前記設定手段は、後払い分割、代引き分割、配送分割、熨斗分割、フラグ分割、備考分割、ゾーン分割及び送付元分割を含むバッチ分割条件の少なくとも１つを示す前記バッチ分割ルールを設定画面上の意思入力に基づき設定し、
前記後払い分割は、注文における後払いの有無に基づく条件を示し、
前記代引き分割は、注文における代引きの有無に基づく条件を示し、
前記配送分割は、注文における配送方法に基づく条件を示し、
前記熨斗除外は、注文における熨斗を含む送付物の印刷の有無に基づく条件を示し、
前記フラグ分割は、注文における分割フラグに基づく条件を示し、
前記備考分割は、注文における備考欄のキーワードに基づく条件を示し、
前記ゾーン分割は、注文における送付先であるゾーンに基づく条件を示し、
前記送付元分割は、注文における送付元に基づく条件を示し、
前記生成手段は、前記バッチ分割ルールが示す前記バッチ分割条件に基づき、少なくとも前記バッチ生成ルールに基づき生成された１以上のバッチを分割し複数のバッチを生成し、
前記設定手段は、配送除外、決済除外、熨斗除外、フラグ除外、数量除外、品番除外、Ｂ２Ｂ除外及びピックエリア除外を含む、注文をバッチから除外するバッチ除外条件の少なくとも１つを示す前記バッチ除外ルールを設定画面上の意思入力に基づき設定し、
前記配送除外は、注文における配送方法に基づく条件を示し、
前記決済除外は、注文における決済方法に基づく条件を示し、
前記熨斗除外は、注文における熨斗を含む送付物の印刷の有無に基づく条件を示し、
前記フラグ除外は、注文における分割フラグの有無に基づく条件を示し、
前記数量除外は、注文における出荷数に基づく条件を示し、
前記品番除外は、注文における品番に基づく条件を示し、
前記Ｂ２Ｂ除外は、送付元及び送付先が法人であるか否かに基づく条件を示し、
前記ピックエリア除外は、ピックエリアからの物品の引当の有無に基づく条件を示し、
前記生成手段は、前記バッチ除外ルールが示す前記バッチ除外条件に基づき、少なくとも前記バッチ生成ルールに基づき生成された１以上のバッチから前記バッチ除外条件と対応する注文を除外し１以上のバッチを生成する情報処理システム。
【請求項２】
前記設定手段は、前記フィルタリングルールを設定画面上の意思入力に基づき設定し、バッチにおける注文の並び順を郵便番号、ＳＫＵ数及び配送指定日に基づきソートする請求項１に記載の情報処理システム。
【請求項３】
出荷指示を含む作業指示に応じたバッチルールのカスタマイズにより庫内物流における作業効率の向上を実現するための情報処理方法であって、
設定ステップおよび生成ステップをコンピュータのプロセッサに実行させ、
前記設定ステップは、バッチ生成ルールと、バッチ分割ルールと、バッチ除外ルールと、前記バッチ生成ルールが示すバッチ形式の優先度、前記バッチ分割ルールが示すバッチ分割条件の優先度、及び、前記バッチ除外ルールが示すバッチ除外条件の優先度の少なくとも１つを示すフィルタリングルールと、を含むバッチルールを荷主と対応するマスタとして設定し、
前記生成ステップは、出荷指示データ及び前記バッチルールに基づき１以上のバッチと対応するピッキング指示データを生成し、
前記設定ステップは、Ｓバッチ、１系バッチ、Ｐバッチ、２Ｂバッチ及びＮバッチ及びＤバッチを含む前記バッチ形式の少なくとも１つを示す前記バッチ生成ルールを設定画面上の意思入力に基づき設定し、
前記Ｓバッチは、１種の物品に係る注文と対応し、
前記１系バッチは、１行注文又は１行１点注文と対応し、
前記Ｐバッチは、ピックエリアからの物品の引当を要する注文と対応し、
前記２Ｂバッチは、送付元及び送付先が法人である注文と対応し、
前記Ｎバッチは、熨斗を含む送付物の印刷を示す注文と対応し、
前記Ｄバッチは、前記Ｓバッチ、１系バッチ、Ｐバッチ、２Ｂバッチ及びＮバッチのそれぞれと対応しない注文と対応し、
前記生成ステップは、前記バッチ生成ルールが示す前記バッチ形式と、１以上の注文を含む前記出荷指示データと、に基づき、１以上の注文の少なくとも一部を含み前記バッチ形式と対応するバッチを１以上、生成し、
前記設定ステップは、後払い分割、代引き分割、配送分割、熨斗分割、フラグ分割、備考分割、ゾーン分割及び送付元分割を含むバッチ分割条件の少なくとも１つを示す前記バッチ分割ルールを設定画面上の意思入力に基づき設定し、
前記後払い分割は、注文における後払いの有無に基づく条件を示し、
前記代引き分割は、注文における代引きの有無に基づく条件を示し、
前記配送分割は、注文における配送方法に基づく条件を示し、
前記熨斗除外は、注文における熨斗を含む送付物の印刷の有無に基づく条件を示し、
前記フラグ分割は、注文における分割フラグに基づく条件を示し、
前記備考分割は、注文における備考欄のキーワードに基づく条件を示し、
前記ゾーン分割は、注文における送付先であるゾーンに基づく条件を示し、
前記送付元分割は、注文における送付元に基づく条件を示し、
前記生成ステップは、前記バッチ分割ルールが示す前記バッチ分割条件に基づき、少なくとも前記バッチ生成ルールに基づき生成された１以上のバッチを分割し複数のバッチを生成し、
前記設定ステップは、配送除外、決済除外、熨斗除外、フラグ除外、数量除外、品番除外、Ｂ２Ｂ除外及びピックエリア除外を含む、注文をバッチから除外するバッチ除外条件の少なくとも１つを示す前記バッチ除外ルールを設定画面上の意思入力に基づき設定し、
前記配送除外は、注文における配送方法に基づく条件を示し、
前記決済除外は、注文における決済方法に基づく条件を示し、
前記熨斗除外は、注文における熨斗を含む送付物の印刷の有無に基づく条件を示し、
前記フラグ除外は、注文における分割フラグの有無に基づく条件を示し、
前記数量除外は、注文における出荷数に基づく条件を示し、
前記品番除外は、注文における品番に基づく条件を示し、
前記Ｂ２Ｂ除外は、送付元及び送付先が法人であるか否かに基づく条件を示し、
前記ピックエリア除外は、ピックエリアからの物品の引当の有無に基づく条件を示し、
前記生成ステップは、前記バッチ除外ルールが示す前記バッチ除外条件に基づき、少なくとも前記バッチ生成ルールに基づき生成された１以上のバッチから前記バッチ除外条件と対応する注文を除外し１以上のバッチを生成する情報処理方法。
【請求項４】
出荷指示を含む作業指示に応じたバッチルールのカスタマイズにより庫内物流における作業効率の向上を実現するための情報処理プログラムであって、
コンピュータを、設定手段および生成手段として機能させ、
前記設定手段は、バッチ生成ルールと、バッチ分割ルールと、バッチ除外ルールと、前記バッチ生成ルールが示すバッチ形式の優先度、前記バッチ分割ルールが示すバッチ分割条件の優先度、及び、前記バッチ除外ルールが示すバッチ除外条件の優先度の少なくとも１つを示すフィルタリングルールと、を含むバッチルールを荷主と対応するマスタとして設定し、
前記生成手段は、出荷指示データ及び前記バッチルールに基づき１以上のバッチと対応するピッキング指示データを生成し、
前記設定手段は、Ｓバッチ、１系バッチ、Ｐバッチ、２Ｂバッチ及びＮバッチ及びＤバッチを含む前記バッチ形式の少なくとも１つを示す前記バッチ生成ルールを設定画面上の意思入力に基づき設定し、
前記Ｓバッチは、１種の物品に係る注文と対応し、
前記１系バッチは、１行注文又は１行１点注文と対応し、
前記Ｐバッチは、ピックエリアからの物品の引当を要する注文と対応し、
前記２Ｂバッチは、送付元及び送付先が法人である注文と対応し、
前記Ｎバッチは、熨斗を含む送付物の印刷を示す注文と対応し、
前記Ｄバッチは、前記Ｓバッチ、１系バッチ、Ｐバッチ、２Ｂバッチ及びＮバッチのそれぞれと対応しない注文と対応し、
前記生成手段は、前記バッチ生成ルールが示す前記バッチ形式と、１以上の注文を含む前記出荷指示データと、に基づき、１以上の注文の少なくとも一部を含み前記バッチ形式と対応するバッチを１以上、生成し、
前記設定手段は、後払い分割、代引き分割、配送分割、熨斗分割、フラグ分割、備考分割、ゾーン分割及び送付元分割を含むバッチ分割条件の少なくとも１つを示す前記バッチ分割ルールを設定画面上の意思入力に基づき設定し、
前記後払い分割は、注文における後払いの有無に基づく条件を示し、
前記代引き分割は、注文における代引きの有無に基づく条件を示し、
前記配送分割は、注文における配送方法に基づく条件を示し、
前記熨斗除外は、注文における熨斗を含む送付物の印刷の有無に基づく条件を示し、
前記フラグ分割は、注文における分割フラグに基づく条件を示し、
前記備考分割は、注文における備考欄のキーワードに基づく条件を示し、
前記ゾーン分割は、注文における送付先であるゾーンに基づく条件を示し、
前記送付元分割は、注文における送付元に基づく条件を示し、
前記生成手段は、前記バッチ分割ルールが示す前記バッチ分割条件に基づき、少なくとも前記バッチ生成ルールに基づき生成された１以上のバッチを分割し複数のバッチを生成し、
前記設定手段は、配送除外、決済除外、熨斗除外、フラグ除外、数量除外、品番除外、Ｂ２Ｂ除外及びピックエリア除外を含む、注文をバッチから除外するバッチ除外条件の少なくとも１つを示す前記バッチ除外ルールを設定画面上の意思入力に基づき設定し、
前記配送除外は、注文における配送方法に基づく条件を示し、
前記決済除外は、注文における決済方法に基づく条件を示し、
前記熨斗除外は、注文における熨斗を含む送付物の印刷の有無に基づく条件を示し、
前記フラグ除外は、注文における分割フラグの有無に基づく条件を示し、
前記数量除外は、注文における出荷数に基づく条件を示し、
前記品番除外は、注文における品番に基づく条件を示し、
前記Ｂ２Ｂ除外は、送付元及び送付先が法人であるか否かに基づく条件を示し、
前記ピックエリア除外は、ピックエリアからの物品の引当の有無に基づく条件を示し、
前記生成手段は、前記バッチ除外ルールが示す前記バッチ除外条件に基づき、少なくとも前記バッチ生成ルールに基づき生成された１以上のバッチから前記バッチ除外条件と対応する注文を除外し１以上のバッチを生成する情報処理プログラム。
【発明の詳細な説明】
【技術分野】
【０００１】
本発明は、情報処理システム、情報処理方法及び情報処理プログラムに関する。
【背景技術】
【０００２】
近年、ＷＭＳ（倉庫管理）システムによる庫内物流の効率向上が求められている。
【０００３】
庫内物流における作業効率の向上は、出荷指示を含む作業指示に応じたバッチルールのカスタマイズにより実現される、と把握することができる。
【０００４】
特許文献１は、物品を複数のピッキング方式から選択された方式でピッキングするためのスケジュールを作成するピッキングスケジュール作成システムに係る発明を開示している。
【先行技術文献】
【特許文献】
【０００５】
【特許文献１】特開２００７−３９１８１号公報
【発明の概要】
【発明が解決しようとする課題】
【０００６】
しかしながら、特許文献１に記載の発明を含む従来のＷＭＳシステムは、上記カスタマイズに係るユーザエクスペリエンスの向上という観点において、改善の余地がある、と把握することができる。
【０００７】
上記事情を鑑みて、本発明は、新規な情報処理を実現する技術を提供することを解決すべき課題とする。
【課題を解決するための手段】
【０００８】
上記課題を解決するため、本発明は、情報処理システムであって、設定手段と、生成手段と、を有し、前記設定手段は、バッチ生成ルール、バッチ分割ルール、バッチ除外ルール及びフィルタリングルールを含むバッチルールを荷主と対応するマスタとして設定し、前記生成手段は、出荷指示データ及び前記バッチルールに基づき１以上のバッチを生成により構成されるピッキング指示データを生成する情報処理システムである。
【０００９】
本発明の好ましい形態では、前記設定手段は、Ｓバッチ、１系バッチ、Ｐバッチ、２Ｂバッチ及びＮバッチ及びＤバッチを含むバッチ形式の少なくとも１つを示す前記バッチ生成ルールを設定画面上の意思入力に基づき設定し、前記Ｓバッチは、１種の物品に係る注文と対応し、前記１系バッチは、１行注文又は１行１点注文と対応し、前記Ｐバッチは、ピックエリアからの物品の引当を要する注文と対応し、前記２Ｂバッチは、送付元及び送付先が法人である注文と対応し、前記Ｎバッチは、熨斗を含む送付物の印刷を示す注文と対応し、前記Ｄバッチは、前記Ｓバッチ、１系バッチ、Ｐバッチ、２Ｂバッチ及びＮバッチのそれぞれと対応しない注文と対応し、前記生成手段は、前記バッチ生成ルールが示す前記バッチ形式と、１以上の注文を含む前記出荷指示データと、に基づき、１以上の注文の少なくとも一部を含み前記バッチ形式と対応するバッチを１以上、生成する。
【００１０】
本発明の好ましい形態では、前記設定手段は、後払い分割、代引き分割、配送分割、熨斗分割、フラグ分割、備考分割、ゾーン分割及び送付元分割を含むバッチ分割条件の少なくとも１つを示す前記バッチ分割ルールを設定画面上の意思入力に基づき設定し、前記後払い分割は、注文における後払いの有無に基づく条件を示し、前記代引き分割は、注文における代引きの有無に基づく条件を示し、前記配送分割は、注文における配送方法に基づく条件を示し、前記熨斗除外は、注文における熨斗を含む送付物の印刷の有無に基づく条件を示し、前記フラグ分割は、注文における分割フラグに基づく条件を示し、前記備考分割は、注文における備考欄のキーワードに基づく条件を示し、前記ゾーン分割は、注文における送付先であるゾーンに基づく条件を示し、前記送付元分割は、注文における送付元に基づく条件を示し、前記生成手段は、前記バッチ分割ルールが示す前記バッチ分割条件に基づき、少なくとも前記バッチ生成ルールに基づき生成された１以上のバッチを分割し複数のバッチを生成する。
【００１１】
本発明の好ましい形態では、前記設定手段は、配送除外、決済除外、熨斗除外、フラグ除外、数量除外、品番除外、Ｂ２Ｂ除外及びピックエリア除外を含む、注文をバッチから除外するバッチ除外条件の少なくとも１つを示す前記バッチ除外ルールを設定画面上の意思入力に基づき設定し、前記配送除外は、注文における配送方法に基づく条件を示し、前記決済除外は、注文における決済方法に基づく条件を示し、前記熨斗除外は、注文における熨斗を含む送付物の印刷の有無に基づく条件を示し、前記フラグ除外は、注文における分割フラグの有無に基づく条件を示し、前記数量除外は、注文における出荷数に基づく条件を示し、前記品番除外は、注文における品番に基づく条件を示し、前記Ｂ２Ｂ除外は、送付元及び送付先が法人であるか否かに基づく条件を示し、前記ピックエリア除外は、ピックエリアからの物品の引当の有無に基づく条件を示し、前記生成手段は、前記バッチ除外ルールが示す前記バッチ除外条件に基づき、少なくとも前記バッチ生成ルールに基づき生成された１以上のバッチから前記バッチ除外条件と対応する注文を除外し１以上のバッチを生成する。
【００１２】
本発明の好ましい形態では、前記設定手段は、前記バッチ生成ルールが示すバッチ形式、前記バッチ分割ルールが示すバッチ分割条件及び前記バッチ除外ルールが示すバッチ除外条件の少なくとも１つのそれぞれにおける優先度を示す前記フィルタリングルールを設定画面上の意思入力に基づき設定し、バッチにおける注文の並び順を郵便番号、ＳＫＵ数及び配送指定日に基づきソートする。
【００１３】
上記課題を解決するため、本発明は、情報処理方法であって、設定ステップと、生成ステップと、コンピュータのプロセッサに実行させ、前記設定ステップは、バッチ生成ルール、バッチ分割ルール、バッチ除外ルール及びフィルタリングルールを含むバッチルールを荷主と対応するマスタとして設定し、前記生成ステップは、出荷指示データ及び前記バッチルールに基づき１以上のバッチを生成により構成されるピッキング指示データを生成する情報処理方法である。
【００１４】
上記課題を解決するため、本発明は、情報処理プログラムであって、コンピュータを、設定手段と、生成手段と、として機能させ、前記設定手段は、バッチ生成ルール、バッチ分割ルール、バッチ除外ルール及びフィルタリングルールを含むバッチルールを荷主と対応するマスタとして設定し、前記生成手段は、出荷指示データ及び前記バッチルールに基づき１以上のバッチを生成により構成されるピッキング指示データを生成する情報処理プログラムである。
【発明の効果】
【００１５】
本発明は、新規な情報処理を実現する技術を提供することができる。また、本発明は、バッチ分割により庫内物流の作業効率を高めることができる。また、本発明は、帳票類の自動印刷を含む事務処理業務の自動化に寄与することができる。
【図面の簡単な説明】
【００１６】
【図１】一実施形態に係るシステム構成図を示す。
【図２】一実施形態に係るバッチルール１１００の設定手順を示す。
【図３】一実施形態に係る設定画面１１００Ｗを示す。
【図４】一実施形態に係る設定画面１１００Ｗを示す。
【図５】一実施形態に係るバッチ生成ルール１１０１の設定画面１１００Ｗを示す。
【図６】一実施形態に係るバッチ分割ルール１１０２の設定画面１１００Ｗを示す。
【図７】一実施形態に係るバッチ除外ルール１１０３の設定画面１１００Ｗを示す。
【発明を実施するための形態】
【００１７】
本明細書は、本発明の一実施形態に係る構成や作用効果等について、図面を交えて説明する。本発明は、以下の一実施形態に限定されず、様々な構成を採用し得る。また、本発明の一実施形態は、各実施形態のそれぞれにおける構成の一部を、本発明の一実施形態が目的とする作用効果の実現を阻害しない範囲で互いに採用してよい。なお、本明細書中の説明における符号の一部は、図示されない。
【００１８】
本発明に係る情報処理システム、情報処理方法、情報処理プログラム、及び、情報処理プログラム媒体のそれぞれは、同様の作用効果を奏する。情報処理システム等における各手段と、情報処理方法における各ステップと、は同様の作用効果を奏する。
【００１９】
本発明に係る情報処理システム・情報処理プログラム・情報処理プログラム媒体のそれぞれにおける各手段の作用効果は、プロセッサ等の演算デバイスが発揮する。また、情報処理方法の各ステップの作用効果も当該プロセッサ等の演算デバイスにより実現される。
【００２０】
本発明に係る情報処理プログラム媒体は、情報処理プログラムが格納された光ディスクやフラッシュメモリ等の非一過性の記録媒体である。
【００２１】
〈ハードウェア構成〉
情報処理システム・情報処理方法・情報処理プログラム・情報処理プログラム媒体は、既知のコンピュータを含む（利用する）。なお、一実施形態におけるコンピュータ間の通信は適宜、ＡＰＩを利用してよい。
【００２２】
コンピュータは、演算デバイス・主記憶デバイス・補助記憶デバイス・入力デバイス・出力デバイス・通信デバイス・バスインタフェースを有し、本発明が発揮する作用効果を実現する上で適宜、用いられる。なお、情報処理システムが利用する／協調する他のコンピュータも同様の構成を有する。
【００２３】
演算デバイスは、命令セットを実行可能な既知のプロセッサを有する。
主記憶デバイスは、命令セットを記憶可能な既知の揮発性メモリを有する。
補助記憶デバイスは、プログラム等を記録可能な既知の記録媒体を有する。
入力デバイスは、例えば意思入力が可能な既知のインタフェースである。
出力デバイスは、例えば視覚的な報知を可能とする既知のインタフェースである。
通信デバイスは、ネットワークのへの接続・参加を実現するための有線方式又は無線方式に基づく既知のインタフェースを有する。
【００２４】
図１に例示されるように、情報処理システムは、データベース０、サーバ１、クライアント２、ハンディターミナル３及びプリンタ４を有する。データベース０、サーバ１、クライアント２及びプリンタ４のそれぞれは、上記コンピュータに係るハードウェア構成の少なくとも一部を採用し得る。ハンディターミナル３は、上記ハードウェア構成の少なくとも一部に加えてバーコード等のコードを読み取り可能な既知の読取デバイスをさらに備える。プリンタ４は、上記ハードウェア構成の少なくとも一部に加えて印刷デバイスをさらに備える。
【００２５】
サーバ１は、設定手段１０１（設定ステップに相当。）と、生成手段１０２（生成ステップに相当。）と、を有する。クライアント２及びプリンタ４は、印刷手段４５（印刷ステップに相当。）の作用効果を奏する構成であってよい。クライアント２は、情報処理システムにおける入力／出力（画面表示等を含む。）の作用を奏する。
【００２６】
また、サーバ１は、設定画面１１００Ｗを含む画面の表示処理を行う表示手段１０３（表示ステップに相当。）をさらに有する。なお、サーバ１及びクライアント２は、サーバ１及びクライアント２の協調により当該表示処理を行う表示手段１０３を有する、という構成であってよい。
【００２７】
設定手段１０１、生成手段１０２及び印刷手段４５は、データベース０上のデータ全般・情報全般を適宜、利用する。本明細書中の説明における「データ全般・情報全般を利用する」とは、データ・情報の参照／追加／更新を含む。
【００２８】
設定手段１０１は、バッチ生成ルール１１０１、バッチ分割ルール１１０２、バッチ除外ルール１１０３及びフィルタリングルール１１０４を含むバッチルール１１００を荷主と対応するマスタとして設定する。本明細書中の説明における「バッチルール１１００」は、バッチ１２００を生成するためのバッチロジックに相当する。
【００２９】
図２に例示されるように、設定手段１０１は、バッチルール１１００の設定を次の手順に従って行う。設定手段１０１は、バッチ生成ルール１１０１の設定、バッチ分割ルール１１０２の設定、バッチ除外ルール１１０３の設定、フィルタリングルール１１０４の設定、納品書／後払い票の設定の手順を経て、バッチルール１１００の設定を行う。なお、設定手段１０１は、上記設定を適宜、順不同に行い、複数の手順を適宜、同時に行ってよい。
【００３０】
生成手段１０２は、出荷指示データ１００７及びバッチルール１１００に基づき１以上のバッチ１２００を生成により構成されるピッキング指示データ１００９を生成する。
【００３１】
なお、ハンディターミナル３は、ピッキング指示データ１００９に含まれる物品に係る検品処理を行うための検品手段３５（検品ステップに相当。）を少なくとも有する。
【００３２】
なお、プリンタ４は、バッチ形式に基づき受注物品の納品書及び受注物品の送り状の印刷処理を実行可能な印刷手段４５を有する。
【００３３】
印刷手段４５は、さらにＦＢＡラベルを印刷可能であってよい。また、印刷手段４５は、バッチ形式における納品書・払込票・送り状を含む印刷物の発行タイミングに基づき印刷処理を実行する。例として、生成手段１０２が印刷物の発行タイミングが先出しであるバッチルール１１００に基づきバッチ１２００を生成した場合、印刷手段４５は、上記検品処理に先行して印刷物の印刷処理を実行する。また、例として、生成手段１０２が印刷物の発行タイミングが後出しであるバッチルール１１００に基づきバッチ１２００を生成した場合、印刷手段４５は、上記検品処理の後に印刷物の印刷処理を実行する。
【００３４】
〈データベース０〉
データベース０は、商品マスタ１００１、得意先マスタ１００２、配送方法マスタ１００３、支払方法マスタ１００４、ロケーションマスタ１００５及び出荷指示データ１００７を有する。出荷指示データ１００７は、クライアント２からサーバ１へ送信されるもの、と把握することができる。出荷指示データ１００７の構成に制限はない。
【００３５】
〈出荷指示データ１００７〉
出荷指示データ１００７は、出荷指示に含まれる注文に係る情報を含む。出荷指示データ１００７における注文のそれぞれは、商品マスタ１００１、得意先マスタ１００２、配送方法マスタ１００３、支払方法マスタ１００４、ロケーションマスタ１００５及びエラーマスタ１００６のそれぞれにおけるデータ全般・情報全般の一部が適宜、組み合わさった情報である。本明細書中の説明における「注文」は、物品に係る情報を含む。
【００３６】
出荷指示データ１００７は、例として、以下の情報の少なくとも一部を含む。
・物品の在庫コードを示す在庫コード情報
・物品の商品コードを示す商品コード情報
・物品の入庫先を示すロケーション情報
・物品の商品明細を示す商品明細情報
・物品の注文番号を示す注文番号情報
・物品の伝票番号を示す伝票番号情報
・物品の追跡番号を示す追跡番号情報
・物品の送付先の名称／郵便番号／住所／電話番号等を示す送付先情報
・物品の注文者の名称／郵便番号／住所／電話番号等を示す注文者情報
・物品の注文日を示す注文日情報
・物品の出荷日を示す出荷日情報
・物品の出荷予定日を示す出荷予定日情報
・物品の出荷数を示す出荷数情報
・物品のキャンセル日を示すキャンセル日情報
・物品の返品登録日を示す返品登録日情報
・物品の出荷ステータスとして保留（入金確認）／保留（住所不備）／保留（備考欄）／保留（後払いデータ）／出荷待ち／出荷準備中／出荷検品済／返品／キャンセル／出荷済み等の何れかを示す出荷ステータス情報
・物品の配送ステータスを示す配送ステータス情報
・物品の外部サービスとの対応関係の指定を示す登録形式情報
・物品の送付元を示す送付元情報
・物品の決済方法を示す決済方法情報
・物品の納品書や払込用紙等の用紙の種別を示す用紙情報
・物品の入金の有無を示す入金確認情報
・物品の配送方法を示す配送方法情報
・物品の配送希望日を示す配送希望日情報
・物品の配送希望時間を示す配送希望時間情報
・物品の常温／冷蔵／冷凍等の温度区分を示す温度区分情報
・物品がギフト（贈り物指定）であるか否かを示すギフト情報
・物品の熨斗やメッセージカードを含む送付物の要否を示す熨斗情報
・物品の納品書が例として送付元指定であるか否かを示す納品書指定情報
・物品の納品書出力の有無を示す納品書出力情報
・物品の納品書金額の記載有無を示す納品書金額情報
・物品の分割フラグの有効又は向こうを示す分割フラグ情報
・出荷指示に係る１以上のキーワードを含む備考欄を示す備考情報
【００３７】
商品明細情報は、例として、以下の情報の少なくとも一部を含む。
・物品の価格や数量等と対応する商品合計を示す商品合計情報
・物品の送料を示す送料情報
・物品の手数料を示す手数料情報
・物品の注文者又は送付先のポイント利用分を示すポイント利用情報
・物品の注文者又は送付先のポイント残存分を示すポイント残存情報
・物品の調整額を示す調整額情報
・物品の合計金額を示す合計金額情報
・物品の消費税を示す消費税情報
・物品の請求金額を示す請求金額情報
・物品の注文者の顧客番号を示す顧客番号情報
・物品の注文者のＤＭ購読の有無を示すＤＭ購読情報
・物品の注文者の会員ランクを示す会員ランク情報
・物品の注文者の付与ポイントを示す付与ポイント情報
・物品の注文者の注文回数を示す注文回数情報
・物品の注文者の定期注文回数を示す定期注文回数情報
・物品の注文者の定期ステータスを示す定期ステータス情報
・物品の注文者の次回発送予定日を示す次回発送予定日情報
・物品の注文者の次回支払い方法を示す次回支払い方法情報
・物品の注文者の定期お届け間隔を示す定期お届け間隔情報
・物品の注文者の次回お届け日を示す次回お届け日情報
・物品の注文者の誕生日を示す誕生日情報
・物品の注文者の性別を示す性別情報
・物品の送り状備考を示す送り状備考情報
【００３８】
設定手段１０１は、表示手段１０３によりクライアント２の出力デバイスにおいて表示処理された設定画面１１００Ｗ上の意思入力に基づきデータベース０上のデータ全般・情報全般の少なくとも一部を、クライアント２の出力デバイスにおいて表示処理された設定画面１１００Ｗ上のユーザによる意思入力に基づき、参照／追加／更新する。また、表示手段１０３は、設定画面１１００Ｗ等の画面上のオブジェクトに係る意思入力に基づき、設定画面１１００Ｗ等の画面を切替／変更／更新する。
【００３９】
図３に例示されるように、設定画面１１００Ｗは、任意の倉庫と対応し、出荷状況表示モードの態様をとる。設定画面１１００Ｗは、設定画面１１００Ｗを出荷状況表示モードに変更するためのオブジェクト１Ｗ０１、設定画面１１００Ｗをバッチ一覧表示モードに変更するためのオブジェクト１Ｗ０２、設定画面１１００Ｗを出荷一覧表示モードに変更するためのオブジェクト１Ｗ０３、設定画面１１００Ｗをスケジュール表示モードに変更するためのオブジェクト１Ｗ０４、設定画面１１００Ｗをスケジュール設定モードに変更するためのオブジェクト１Ｗ０５、設定画面１１００Ｗをルール設定モードに設定するためのオブジェクト１Ｗ０６及び設定画面１１００Ｗをゾーン設定モードに設定するためのオブジェクト１Ｗ０７を含む。表示手段１０３は、これらオブジェクト１Ｗ０１〜１Ｗ０７を、タブの態様で表示処理する。また、表示手段１０３は、上記モードの何れかをデフォルトとして初期表示時のモードとする。
【００４０】
また、図３に例示されるように、設定画面１１００Ｗは、出荷待のステータスを示す出荷指示の数量を示すオブジェクト１Ｗ０８、出荷準備中のステータスを示す出荷指示の数量を示すオブジェクト１Ｗ０９、出荷作業中のステータスを示す出荷指示の数量を示すオブジェクト１Ｗ１０、出荷検品済のステータスを示す出荷指示の数量を示すオブジェクト１Ｗ１１、出荷済のステータスを示す出荷指示の数量を示すオブジェクト１Ｗ１２及びキャンセルのステータスを示す出荷指示の数量を示すオブジェクト１Ｗ１３を含む。表示手段１０３は、これらオブジェクト１Ｗ０８〜１Ｗ１３のそれぞれに関して、互いに外観上、区別できるよう表示処理してよい。
【００４１】
なお、図３に例示されるように、設定画面１１００Ｗにおけるオブジェクト１Ｗ０８〜１Ｗ１３では、オブジェクト１Ｗ０８と、オブジェクト１Ｗ０９と、オブジェクト１Ｗ１０及び１Ｗ１１と、オブジェクト１Ｗ１２と、オブジェクト１Ｗ１３と、が外観上、区別できるよう表示処理されている。本明細書中の説明における「外観上、区別できるよう表示処理する」とは、表示処理の対象に関して、その呈色・寸法・透明度・アニメーションに差異が生ずるよう表示処理することを指す。
【００４２】
また、図３に例示されるように、設定画面１１００Ｗは、表示処理の対象となる倉庫を選択するためのオブジェクト１Ｗ１４及び表示処理の対象となるオペレータ（作業者に相当。）を選択するためのオブジェクト１Ｗ１５を含む。本明細書中の説明における「オペレータ」とは、バッチ１２００を生成する作業者に相当する。また、図３に例示されるように、設定画面１１００Ｗは、バッチ回数の表示に係るオン／オフを切り替えるためのオブジェクト１Ｗ１６を含む。
【００４３】
また、図３に例示されるように、設定画面１１００Ｗは、上記オペレータと対応する会社・店舗毎のバッチ回数／出荷待ちのステータスを示す出荷指示の数量／出荷準備中のステータスを示す出荷指示の数量／出荷作業中のステータスを示す出荷指示の数量／出荷検品済のステータスを示す出荷指示の数量／出荷済みのステータスを示す出荷指示の数量／キャンセルのステータスを示す出荷指示の数量を示すオブジェクト１Ｗ１７を含む。表示手段１０３は、表形式／リスト形式／フォーム形式の態様で、オブジェクト１Ｗ１７を表示処理してよい。
【００４４】
なお、データベース０上で管理される荷主・倉庫・店舗・会社・出荷指示・バッチ等の諸々のデータ・情報は、個別に識別子（ＩＤ）が割り振られ区別可能である。なお、本明細書中の説明における「バッチ回数」とは、出荷指示／出荷指示データ１００７毎に生成されたバッチ１２００の数量に相当する。
【００４５】
図４に例示されるように、設定画面１１００Ｗは、任意の倉庫と対応し、バッチ一覧表示モードの態様をとる。なお、図４に例示される設定画面１１００Ｗは、表示手段１０３がオブジェクト１Ｗ０２の指定を転機とする更新により表示処理されたものである。また、図４に例示されるように、設定画面１１００Ｗは、バッチを検索／参照するためのクエリとしてバッチ作成日を入力可能なオブジェクト１Ｗ１８、当該クエリとして店舗ＩＤを入力可能なオブジェクト１Ｗ１９、当該クエリとして店舗名を入力可能なオブジェクト１Ｗ２０及び当該クエリとして会社名を入力可能なオブジェクト１Ｗ２１を入力可能な１Ｗ２１を含む。また、図４に例示されるように、設定画面１１００Ｗは、オブジェクト１Ｗ１８〜１Ｗ２１において入力された当該クエリに基づきデータベース０上で参照された１以上のピッキング指示データ１００９を示すオブジェクト１Ｗ２２を含む。表示手段１０３は、表形式／リスト形式／フォーム形式の態様で、オブジェクト１Ｗ２２を表示処理してよい。
【００４６】
なお、図４に例示されるように、ピッキング指示データ１００９は、店舗ＩＤ・店舗名・会社名・バッチコード・作成日時（バッチ作成日に相当。）・バッチ回数・注文数・バッチ１２００・バッチトータル個別ピッキングリスト・送り状ファイル・送り状ＣＳＶを含む。ここで、バッチ１２００とは、図４に例示されるオブジェクト１Ｗ２２におけるＳ（１００）・Ｓ−Ｎ（４０）・Ｄ（２００）・Ｓ（１００）・Ｄ（１００）・Ｓ（１００）・Ｓ−Ｎ（１０）・Ｄ（５０）・Ｓ（５０）・Ｄ（５０）のそれぞれに相当する。なお、「Ｓ」とはＳバッチに相当する記号であり、「Ｓ−Ｎ」とは熨斗分割に基づきＳバッチが分割されたことで生じたバッチ１２００に相当する記号である。
【００４７】
図５に例示されるように、設定画面１１００Ｗは、任意の倉庫と対応し、バッチルール１１００におけるバッチ生成ルール１１０１を設定可能なルール設定モードの態様をとる。また、図５に例示されるように、設定画面１１００Ｗは、バッチ生成ルール１１０１におけるバッチ形式の選択／バッチ区切り数の入力／納品書の発行タイミングの選択／後払い票の発行タイミングの選択／送り状の発行タイミングの選択を行うためのオブジェクト１ＷＲ１を含む。
【００４８】
〈バッチ生成ルール１１０１〉
設定手段１０１は、Ｓバッチ、１系バッチ、Ｐバッチ、２Ｂバッチ及びＮバッチ及びＤバッチを含むバッチ形式の少なくとも１つを示すバッチ生成ルール１１０１を設定画面１１００Ｗ上の意思入力に基づき設定する。本明細書は、各バッチ形式の詳細について、以下に説明する。
【００４９】
バッチ形式の１つであるＳバッチは、１種の物品に係る注文と対応する。また、Ｓバッチは、所定数以上の１種の物品又は１通りの物品の組み合わせに係る注文と対応する。本明細書中の説明における「１種の物品又は１通りの物品の組み合わせ」とは、商品名称情報、商品識別番号情報及び商品コード情報に基づく１種の物品又は１通りの物品の組み合わせを指す。
【００５０】
バッチ形式の１つである１系バッチは、１行注文又は１行１点注文と対応する。本明細書中の説明における「１系バッチ」は、１バッチや１１バッチ等の所定のバッチ形式に相当する。１系バッチは、２種以上の物品のそれぞれ１点、又は、１種の物品に係る注文と対応する。本明細書中の説明における「１種以上の物品」とは、商品名称情報、商品識別番号情報及び商品コード情報が重複しない１種以上の物品を指す。
【００５１】
バッチ形式の１つであるＰバッチは、ピックエリアからの物品の引当を要する注文と対応する。本明細書中の説明における「ピックエリアからの物品の引当を要する注文」とは、注文に係る物品のロケーションがピックエリアであることを少なくとも指す。
【００５２】
バッチ形式の１つである２Ｂバッチは、送付元及び送付先が法人である注文と対応する。本明細書中の説明における「送付元及び送付先が法人である注文」とは、注文に係る物品の送付元及び送付先が法人であることを指す。
【００５３】
バッチ形式の１つであるＮバッチは、熨斗を含む送付物の印刷を示す注文と対応する。本明細書中の説明における「熨斗を含む送付物」とは、熨斗やメッセージカード等の物品に付属する印刷物全般を指し、納品書・送付状は除く。
【００５４】
バッチ形式の１つであるＤバッチは、Ｓバッチ、１系バッチ、Ｐバッチ、２Ｂバッチ及びＮバッチのそれぞれと対応しない注文と対応する。
【００５５】
生成手段１０２は、バッチ生成ルール１１０１が示すバッチ形式と、１以上の注文を含む出荷指示データ１００７と、に基づき、１以上の注文の少なくとも一部を含みバッチ形式と対応するバッチ１２００を１以上、生成する。
【００５６】
また、図５に例示されるように、オブジェクト１ＷＲ１は、Ｓバッチを選択するためのオブジェクト１Ｗ２３、１系バッチを選択するためのオブジェクト１Ｗ２４、Ｐバッチを選択するためのオブジェクト１Ｗ２５、Ｂ２Ｂバッチを選択するためのオブジェクト１Ｗ２６、Ｎバッチ（のしバッチに相当。）を選択するためのオブジェクト１Ｗ２７、Ｄバッチを選択するためのオブジェクト１Ｗ２８、Ｓバッチにおける注文数の下限を入力するためのオブジェクト１Ｗ２９、Ｓバッチにおけるバッチ区切り数を入力するためのオブジェクト１Ｗ３０、１系バッチにおけるバッチ区切り数を入力するためのオブジェクト１Ｗ３１及びＤバッチにおけるバッチ区切り数を入力するためのオブジェクト１Ｗ３２を含む。本明細書中の説明における「Ｓバッチにおける注文数の下限」とは、Ｓバッチを生成する条件としての注文数の下限に相当する。また、本明細書中の説明における「バッチ区切り数」とは、生成するバッチの数量に相当する。具体的には、バッチ区切り数ｎ＝２の場合、生成手段１０２は、バッチ１２００の数量が２となるようバッチ１２００を生成する。
【００５７】
また、図５に例示されるように、オブジェクト１ＷＲ１は、１系バッチにおける納品書の発行タイミングを先出し／後出しから選択するためのオブジェクト１Ｗ３３、１系バッチにおける後払い票の発行タイミングを先出し／後出しから選択するためのオブジェクト１Ｗ３４、Ｓバッチにおける送り状の発行タイミングを先出し／後出しから選択するためのオブジェクト１Ｗ３５、１系バッチにおける送り状の発行タイミングを先出し／後出しから選択するためのオブジェクト１Ｗ３６、Ｐバッチにおける送り状の発行タイミングを先出し／後出しから選択するためのオブジェクト１Ｗ３７、２Ｂバッチにおける送り状の発行タイミングを先出し／後出しから選択するためのオブジェクト１Ｗ３８、Ｎバッチにおける送り状の発行タイミングを先出し／後出しから選択するためのオブジェクト１Ｗ３９及びＤバッチにおける送り状の発行タイミングを先出し／後出しから選択するためのオブジェクト１Ｗ４０を含む。
【００５８】
図６に例示されるように、設定画面１１００Ｗは、任意の倉庫と対応し、バッチルール１１００におけるバッチ分割ルール１１０２を設定可能なルール設定モードの態様をとる。また、図６に例示されるように、設定画面１１００Ｗは、バッチ分割ルール１１０２におけるバッチ分割条件の選択を行うためのオブジェクト１ＷＲ２を含む。
【００５９】
〈バッチ分割ルール１１０２〉
設定手段１０１は、後払い分割、代引き分割、配送分割、熨斗分割、フラグ分割、備考分割、ゾーン分割及び送付元分割を含むバッチ分割条件の少なくとも１つを示すバッチ分割ルール１１０２を設定画面１１００Ｗ上の意思入力に基づき設定する。本明細書は、各バッチ分割条件の詳細について、以下に説明する。
【００６０】
バッチ分割条件の１つである後払い分割は、注文における後払いの有無に基づく条件を示す。つまり、バッチ分割ルール１１０２が後払い分割を示す場合、生成手段１０２は、決済方法が後払いである物品を示す注文を含む新たなバッチ１２００を生成するよう、当該注文を含むバッチ１２００を分割する。
【００６１】
バッチ分割条件の１つである代引き分割は、注文における代引きの有無に基づく条件を示す。つまり、バッチ分割ルール１１０２が代引き分割を示す場合、生成手段１０２は、決済方法が代引きである物品を示す注文を含む新たなバッチ１２００を生成するよう、当該注文を含むバッチ１２００を分割する。
【００６２】
バッチ分割条件の１つである配送分割は、注文における配送方法に基づく条件を示す。つまり、バッチ分割ルール１１０２が配送分割を示す場合、生成手段１０２は、配送方法が所定の配送方法ある物品を示す注文を含む新たなバッチ１２００を生成するよう、当該注文を含むバッチ１２００を分割する。本明細書中の説明における「所定の配送方法」とは、例として、所定の配送者を指す。
【００６３】
バッチ分割条件の１つである熨斗除外は、注文における熨斗を含む送付物の印刷の有無に基づく条件を示す。つまり、バッチ分割ルール１１０２が熨斗分割を示す場合、生成手段１０２は、熨斗を含む送付物が付随する物品を示す注文を含む新たなバッチ１２００を生成するよう、当該注文を含むバッチ１２００を分割する。
【００６４】
バッチ分割条件の１つであるフラグ分割は、注文における分割フラグに基づく条件を示す。つまり、バッチ分割ルール１１０２がフラグ分割を示す場合、生成手段１０２は、分割フラグが有効な物品を示す注文を含む新たなバッチ１２００を生成するよう、当該注文を含むバッチ１２００を分割する。
【００６５】
バッチ分割条件の１つである備考分割は、注文における備考欄のキーワードに基づく条件を示す。つまり、バッチ分割ルール１１０２が備考分割を示す場合、生成手段１０２は、物品に係る備考欄のキーワードが所定のキーワードを示す注文を含む新たなバッチ１２００を生成するよう、当該注文を含むバッチ１２００を分割する。
【００６６】
バッチ分割条件の１つであるゾーン分割は、注文における送付先であるゾーンに基づく条件を示す。つまり、バッチ分割ルール１１０２がゾーン分割を示す場合、生成手段１０２は、当該ゾーンが所定の住所等である物品を示す注文を含む新たなバッチ１２００を生成するよう、当該注文を含むバッチ１２００を分割する。
【００６７】
ゾーンは、ゾーン設定モードの設定画面１１００Ｗ上の意思入力に基づき適宜、設定される。なお、ゾーンは識別子や番号が割り振られる構成であってよい。なお、ゾーンに優先度が設定されている場合、バッチ分割・バッチ除外における判定条件の対象となるゾーンは、優先度の高いゾーンとなる。
【００６８】
バッチ分割条件の１つである送付元分割は、注文における送付元に基づく条件を示す。つまり、バッチ分割ルール１１０２が送付元分割を示す場合、生成手段１０２は、送付元が所定の住所等である物品を示す注文を含む新たなバッチ１２００を生成するよう、当該注文を含むバッチ１２００を分割する。
【００６９】
生成手段１０２は、バッチ分割ルール１１０２が示すバッチ分割条件に基づき、少なくともバッチ生成ルール１１０１に基づき生成された１以上のバッチ１２００を分割し複数のバッチ１２００を生成する。
【００７０】
また、図６に例示されるように、オブジェクト１ＷＲ２は、後払い分割を選択するためのオブジェクト１Ｗ４１、代引き分割を選択するためのオブジェクト１Ｗ４２、配送分割を選択するためのオブジェクト１Ｗ４３、フラグ分割を選択するためのオブジェクト１Ｗ４４、備考分割を選択するためのオブジェクト１Ｗ４５、ゾーン分割を選択するためのオブジェクト１Ｗ４６、発送元分割を選択するためのオブジェクト１Ｗ４７及びゾーン分割の適用先であるバッチ形式を全バッチ形式かＤバッチのみから選択するためのオブジェクト１Ｗ４８を含む。
【００７１】
図７に例示されるように、設定画面１１００Ｗは、任意の倉庫と対応し、バッチルール１１００におけるバッチ除外ルール１１０３を設定可能なルール設定モードの態様をとる。また、図７に例示されるように、設定画面１１００Ｗは、バッチ除外ルール１１０３におけるバッチ除外条件の選択を行うためのオブジェクト１ＷＲ３を含む。
【００７２】
〈バッチ除外ルール１１０３〉
設定手段１０１は、配送除外、決済除外、熨斗除外、フラグ除外、数量除外、品番除外、Ｂ２Ｂ除外及びピックエリア除外を含む、注文をバッチ１２００から除外するバッチ除外条件の少なくとも１つを示すバッチ除外ルール１１０３を設定画面１１００Ｗ上の意思入力に基づき設定する。本明細書は、各バッチ除外条件の詳細について、以下に、説明する。
【００７３】
バッチ除外条件の１つである配送除外は、注文における配送方法に基づく条件を示す。つまり、バッチ除外ルール１１０３が配送除外を示す場合、生成手段１０２は、所定の配送方法と対応する物品を示す注文を含まないよう、バッチ１２００を生成する。
【００７４】
バッチ除外条件の１つである決済除外は、注文における決済方法に基づく条件を示す。つまり、バッチ除外ルール１１０３が決済除外を示す場合、生成手段１０２は、所定の決済方法と対応する物品を示す注文を含まないよう、バッチ１２００を生成する。
【００７５】
バッチ除外条件の１つである熨斗除外は、注文における熨斗を含む送付物の印刷の有無に基づく条件を示す。つまり、バッチ除外ルール１１０３が熨斗除外を示す場合、生成手段１０２は、熨斗を含む送付物の印刷と対応する注文を含まないよう、バッチ１２００を生成する。
【００７６】
バッチ除外条件の１つであるフラグ除外は、注文における分割フラグの有無に基づく条件を示す。つまり、バッチ除外ルール１１０３がフラグ除外を示す場合、生成手段１０２は、分割フラグが有効な物品を示す注文を含まないよう、バッチ１２００を生成する。
【００７７】
バッチ除外条件の１つである数量除外は、注文における出荷数に基づく条件を示す。つまり、バッチ除外ルール１１０３が数量除外を示す場合、生成手段１０２は、出荷数量が所定数量を超過する物品を示す注文を含まないよう、バッチ１２００を生成する。
【００７８】
バッチ除外条件の１つである品番除外は、注文における品番に基づく条件を示す。つまり、バッチ除外ルール１１０３が品番除外を示す場合、生成手段１０２は、所定の品番と対応する物品を示す注文を含まないようバッチ１２００を生成する。
【００７９】
バッチ除外条件の１つであるＢ２Ｂ除外は、送付元及び送付先が法人であるか否かに基づく条件を示す。つまり、バッチ除外ルール１１０３がＢ２Ｂ除外を示す場合、生成手段１０２は、送付元及び送付先が法人である物品を示す注文を含まないようバッチ１２００を生成する。
【００８０】
バッチ除外条件の１つであるピックエリア除外は、ピックエリアからの物品の引当の有無に基づく条件を示す。つまり、バッチ除外ルール１１０３がビックアップ除外を示す場合、生成手段１０２は、ロケーションがピックアップエリアである物品を示す注文を含まないようバッチ１２００を生成する。
【００８１】
生成手段１０２は、バッチ除外ルール１１０３が示すバッチ除外条件に基づき、少なくともバッチ生成ルール１１０１に基づき生成された１以上のバッチ１２００からバッチ除外条件と対応する注文を除外し１以上のバッチ１２００を生成する。
【００８２】
また、図７に例示されるように、オブジェクト１ＷＲ３は、配送除外を選択するためのオブジェクト１Ｗ４９、配送除外における適用条件を選択するためのオブジェクト１Ｗ５０、決済除外を選択するためのオブジェクト１Ｗ５１、決済除外における適用条件を選択するためのオブジェクト１Ｗ５２、熨斗除外を選択するためのオブジェクト１Ｗ５３、フラグ除外を選択するためのオブジェクト１Ｗ５４、数量除外を選択し適用条件（数量に相当。）を入力するためのオブジェクト１Ｗ５５、品番除外を選択するためのオブジェクト１Ｗ５６、品番除外における適用条件（所定の品番に相当。）を入力するためのオブジェクト１Ｗ５７、ピックエリア除外を選択するためのオブジェクト１Ｗ５８及びＢ２Ｂ除外を選択するためのオブジェクト１Ｗ５９を含む。
【００８３】
設定手段１０１は、バッチ生成ルール１１０１が示すバッチ形式、バッチ分割ルール１１０２が示すバッチ分割条件及びバッチ除外ルール１１０３が示すバッチ除外条件の少なくとも１つのそれぞれにおける優先度を示すフィルタリングルール１１０４を設定画面１１００Ｗ上の意思入力に基づき設定する。また、設定手段１０１は、ゾーンの優先度を示すフィルタリングルール１１０４を設定画面１１００Ｗ上の意思入力に基づき設定する。なお、設定手段１０１は、出荷指示データ１００７が含み得るデータ全般・情報全般の少なくとも一部に基づきフィルタリングルール１１０４を適宜、設定する。
【００８４】
設定手段１０１は、バッチ１２００における注文の並び順を郵便番号、ＳＫＵ数及び配送指定日に基づきソートする。なお、設定手段１０１は、出荷指示データ１００７が含み得るデータ全般・情報全般の少なくとも一部に基づき注文の並び順をソートする。
【００８５】
設定手段１０１は、設定画面１１００Ｗ上の意思入力に基づき、納品書及び後払い票に係る伝票について納品書及び後払い票を含む一体型伝票として設定する。また、設定手段１０１は、設定画面１１００Ｗ上の意思入力に基づき、納品書及び後払い票に係る伝票を個別に設定する。また、設定手段１０１は、当該伝票を一体型伝票とする場合、かつ、納品書及び後払い票の何れかが先出しとする場合、一体型伝票を先出しとしてよい。また、設定手段１０１は、当該伝票を一体型伝票とする場合、かつ、納品書及び後払い票の何れかが後出しとする場合、一体型伝票を後出しとしてよい。
【００８６】
一実施形態の設定画面１１００Ｗは、例示されている設定画面１１００Ｗにおける構成の少なくとも一部を互いに採用してよい。
【００８７】
本明細書は、以下にデータベース０上の各マスタに係る情報を説明する。
【００８８】
〈商品マスタ１００１〉
商品マスタ１００１は、商品に係る以下の情報を含む。
・商品の名称（物品名、商品名）を示す商品名称情報
・商品の金額を示す金額情報
・商品のカテゴリとして商品／同梱物／作業／資材の何れかを示すカテゴリ情報
・商品の高さ／幅／奥行き／重量／サイズ係数を示すサイズ情報
・商品のイメージ（静止画又は動画）を示すイメージ情報
・商品に付属するコードと対応する識別番号を示す商品識別番号情報
・商品の在庫コードを示す在庫コード情報
・商品の在庫数を示す在庫数情報
・商品の在庫アラート数を示す在庫アラート数情報
・商品の在庫区分を新品及び中古の何れかとして示す在庫区分情報
・商品のＳＫＵ（最小管理単位）数を示すＳＫＵ数情報
・商品の入数を示す商品入数情報
・商品の引当制限日数を示す商品引当制限日数情報
・商品の出荷優先順位等を示す優先情報
・商品のロット管理の要否を示すロット管理情報
・商品の消費期限管理の要否を示す消費期限管理情報
・商品の納品書表示の要否を示す納品書表示情報
・１以上のキーワードを含む商品の備考欄を示す商品備考情報
なお、本明細書中の説明における「商品」とは、庫内物流において出荷等される物品の詳細に相当する。なお、商品マスタ１００１は、商品の品番を示す商品品番情報をさらに含む。
【００８９】
〈得意先マスタ１００２〉
得意先マスタ１００２は、送付元及び送付先等の得意先に係る以下の情報を含む。
・得意先を識別するための得意先コードを示す得意先コード情報
・得意先の名称を示す得意先名称情報
・得意先の住所／電話番号／ＦＡＸ番号／メールアドレスを示す得意先連絡先情報
・得意先の備考としての１以上のキーワードを含む得意先備考情報
なお、得意先マスタ１００２における情報は、送付先・送付元が法人か否かを示す情報を含む構成であってよい。
【００９０】
〈配送方法マスタ１００３〉
配送方法マスタ１００３は、配送方法に係る以下の情報を含む。
・配送方法の名称を示す配送方法名称情報
・配送方法の送料の算出方法を示す配送方法送料情報
・配送方法の送り状の採番方法を示す配送方法採番情報
・配送方法の備考としての１以上のキーワードを含む配送方法備考情報
なお、本明細書中の説明における「配送方法」は、配送者に相当する。
【００９１】
〈支払方法マスタ１００４〉
支払方法マスタ１００４は、支払方法に係る以下の情報を含む。
・支払方法に係る名称を示す支払方法名称情報
・支払方法に係る概要として、クレジットカード／銀行振込／代引き／コンビニ／後払いを少なくとも含む各種方法の何れかを示す支払方法概要情報
・支払方法に係る備考としての１以上のキーワードを含む支払方法備考情報
本明細書中の説明における「支払方法」とは、決済方法に相当する。
【００９２】
〈ロケーションマスタ１００５〉
ロケーションマスタ１００５は、物品の入庫先に係る以下の情報を含む。
・入庫先を識別するためのロケーションを示すロケーション情報
・入庫先の備考としての１以上のキーワードを含むロケーション備考情報
本明細書中の説明における「ロケーション」とは、ピックエリア等の所定のエリアを含む。ここで、ロケーション情報は、ピックエリアを指すか否かを示してよい。
【００９３】
〈エラーマスタ１００６〉
一実施形態に係るエラーマスタ１００６は、注意エラー又は重要エラー等と対応付けられるエラー情報を含む。
【００９４】
本発明の一実施形態は、特許第６６４４３６９号公報に記載の構成の少なくとも一部を適宜、採用することができる。
【００９５】
なお、設定手段１０１は、出荷指示データ１００７が含み得るデータ全般・情報全般の少なくとも一部に基づきバッチ分割条件・バッチ除外条件を適宜、設定する。
【００９６】
なお、本発明の一実施形態に係る各手段は、後払い票を払込票の１つとして扱う。
【００９７】
本発明によれば、バッチルール１１００のバッチ形式、バッチ分割条件、バッチ除外対象及びフィルタ条件の設定に基づく新規な情報処理を実現することができる。
【符号の説明】
【００９８】
０          ：データベース
１          ：サーバ
２          ：クライアント
３          ：ハンディターミナル
４          ：プリンタ
１０１      ：設定手段
１０２      ：生成手段
１０３      ：印刷手段
１０４      ：表示手段
１００１    ：商品マスタ
１００２    ：得意先マスタ
１００３    ：配送方法マスタ
１００４    ：支払方法マスタ
１００５    ：ロケーションマスタ
１００６    ：エラーマスタ
１００７    ：出荷指示データ
１００９    ：ピッキング指示データ
１１００    ：バッチルール
１１００Ｗ  ：設定画面
１１０１    ：バッチ生成ルール
１１０２    ：バッチ分割ルール
１１０３    ：バッチ除外ルール
１１０４    ：フィルタリングルール
１２００    ：バッチ
【要約】
【課題】
本発明は、新規な情報処理を実現する技術を提供することを解決すべき課題とする。
【解決手段】
上記課題を解決するため、本発明は、設定手段と、生成手段と、を有し、前記設定手段は、バッチ生成ルール、バッチ分割ルール、バッチ除外ルール及びフィルタリングルールを含むバッチルールを荷主と対応するマスタとして設定し、前記生成手段は、出荷指示データ及び前記バッチルールに基づき１以上のバッチを生成により構成されるピッキング指示データを生成する情報処理システムを実現する。また、本発明は、情報処理方法及び情報処理プログラムを実現する。
【選択図】図１【図１】
0006886737.tif 000002
【図２】
0006886737.tif 000003
【図３】
0006886737.tif 000004
【図４】
0006886737.tif 000005
【図５】
0006886737.tif 000006
【図６】
0006886737.tif 000007
【図７】
0006886737.tif 000008